(57)【要約】【課題】誘導加熱が効率よく行えるとともに、内面側の熱伝導を良好にして被加熱物を効率よく加熱できる。また、炊飯釜本体の開口縁部に取り付けたフランジ体が外れることがない。【解決手段】炊飯釜本体１は外側をステンレス鋼板とするとともに内側をアルミニウム板としたクラッド鋼鈑４にて形成する。炊飯釜本体１の開口縁部にアルミニウム鋳物にて成形したフランジ体１０を開口縁部を覆って取り付ける。炊飯釜本体１の開口縁部は外方に向って拡開状に折り曲げる。フランジ体１０には、炊飯釜本体１の上面開口部を覆う蓋体の嵌合部を形成する。炊飯釜本体１の開口縁部をフランジ体成形型内に配設し、フランジ体成形型内にアルミニウム溶融材を注入してフランジ体１０を炊飯釜本体１の開口縁部に取り付ける。【選択図】　　　　図１
2004008247.tif 000002
【特許請求の範囲】
【請求項１】
外側をステンレス鋼板とするとともに内側をアルミニウム板としたクラッド鋼鈑にて形成され上面を開口した炊飯釜本体と、
この炊飯釜本体の開口縁部にこの開口縁部を覆って取り付けられアルミニウム鋳物にて成形されたフランジ体と
を備えたことを特徴とする高周波誘導加熱式炊飯釜。
【請求項２】
炊飯釜本体の開口縁部は外方に向って拡開状に折り曲げたことを特徴とする請求項１記載の高周波誘導加熱式炊飯釜。
【請求項３】
フランジ体には、炊飯釜本体の上面開口部を覆う蓋体の嵌合受部を形成したことを特徴とする請求項１又は２記載の高周波誘導加熱式炊飯釜。
【請求項４】
外側をステンレス鋼板とするとともに内側をアルミニウム板としたクラッド鋼鈑にて上面を開口した炊飯釜本体を形成する工程と、
この炊飯釜本体の開口縁部をフランジ体成形型内に配設し、このフランジ体成形型内にアルミニウム溶融材を注入してこの炊飯釜本体の開口縁部を覆ったフランジ体をこの炊飯釜本体の開口縁部に取り付ける工程と
を有する高周波誘導加熱式炊飯釜の製造方法。
【発明の詳細な説明】
【０００１】
【発明の属する技術分野】
本発明は、特に連続して高周波誘導加熱により炊飯を行うことのできる高周波誘導加熱式炊飯釜およびその製造方法に関する。
【０００２】
【従来の技術】
従来の高周波誘導加熱式炊飯装置は、例えば、特開平１１−１１１４３７号公報に記載されているように、炊飯釜を移送装置により順次に高周波誘導加熱手段による加熱位置に移送し、この高周波誘導加熱手段によって炊飯釜を加熱して炊飯し、炊飯が終了後に炊飯釜を次の行程に移送するとともに、次の炊飯釜を高周波誘導加熱手段による高周波誘導加熱位置に移送して連続的に炊飯するようにした構成が採られている。
【０００３】
そして、この高周波誘導加熱式炊飯装置では、炊飯釜本体の底部が高周波誘導加熱手段に接触されないように高周波誘導加熱手段上から浮上させて移送する必要があり、また、炊飯釜本体内の炊き上がった米の取り出し、洗浄などに際して炊飯釜本体を反転させる必要がある。
【０００４】
従来のこの種の炊飯釜は、炊飯釜本体をアルミニウム鋳物またはアルミニウム板などにて形成し、この炊飯釜本体の外面に強磁性体材を溶射し、また、この炊飯釜本体の上面開口縁部にてフランジ部または取っ手を一体に形成した構造が採られていた。
【０００５】
この従来の炊飯釜本体は、反復して炊飯に使用している間に、熱膨張が繰り返されることとなり、それによって強磁性体が剥離し易く、長期使用に耐えることができなかった。また、アルミニウム板によって形成した炊飯釜本体の開口縁部にフランジ部または取っ手を一体形成させた構造では、フランジ部または取っ手を利用して炊飯釜本体を移送するようにする場合、衝撃や荷重によってフランジ部が変形したり、また、取っ手が変形したり、破損するおそれがあった。
【０００６】
本発明は上記問題点に鑑みなされたもので、誘導加熱が効率よく行えるとともに、内面側の熱伝導を良好にして被加熱物を効率よく加熱でき、また、炊飯釜本体の開口縁部に取り付けたフランジ体が外れることがなく、フランジ体を利用して炊飯釜本体を移送できる高周波誘導加熱式炊飯釜およびその製造方法を提供するものである。
【０００７】
【課題を解決するための手段】
請求項１記載の発明の高周波誘導加熱式炊飯釜は、外側をステンレス鋼板とするとともに内側をアルミニウム板としたクラッド鋼鈑にて形成され上面を開口した炊飯釜本体と、この炊飯釜本体の開口縁部にこの開口縁部を覆って取り付けられアルミニウム鋳物にて成形されたフランジ体とを備えたものである。
【０００８】
そして、クラッド鋼鈑である炊飯釜本体は外面が強磁性のステンレス鋼板のため、電磁誘導による渦電流が発生し易く、内面がアルミニウム板のため、熱伝導がよく、被加熱物を効率よく加熱でき、炊飯釜本体の外面に強磁性体を溶射した構造に比し剥離することがなく、長期使用が可能となる。
【０００９】
また、炊飯釜本体の開口縁部に取り付けられたフランジ体は、この炊飯釜本体の開口縁部を覆って取り付けられたアルミニウム鋳物にて形成するため、炊飯釜本体の内側のアルミニウム板とアルミウム鋳物のフランジ体とが溶着結合されて確実に取り付けられ、開口縁部の強度は増すとともに炊飯時にフランジ体の取り付け部から蒸気が漏れることがない。また、フランジ体を利用して炊飯釜本体を持ち上げてもフランジ体が炊飯釜本体の荷重で外れることがなく、フランジ体を支持して炊飯釜本体の底面部が高周波誘導加熱手段に接触されないように周波誘導加熱手段上から浮上させて移送できるとともに、炊飯釜本体内の炊き上がった米の取り出し、洗浄など炊飯釜本体を反転させる際にも、フランジ体を利用して行うことができ、炊飯釜本体に衝撃を与えることがなく、炊飯釜本体の底部などを変形破損するおそれがない。
【００１０】
請求項２記載の発明の高周波誘導加熱式炊飯釜は、請求項１記載の高周波誘導加熱式炊飯釜において、炊飯釜本体の開口縁部は外方に向って拡開状に折り曲げたものである。
【００１１】
そして、炊飯釜本体の開口縁部に取り付けられたフランジ体に上方に持ち上げる力が作用しても、炊飯釜本体の荷重で炊飯釜本体の開口縁部がフランジ体から抜け外れることがない。
【００１２】
請求項３記載の発明の高周波誘導加熱式炊飯釜は、請求項１又は２記載の高周波誘導加熱式炊飯釜において、フランジ体には、炊飯釜本体の上面開口部を覆う蓋体の嵌合部を形成したものである。
【００１３】
そして、フランジ体の嵌合受部に蓋体を嵌合することにより炊飯釜本体の上面開口部を確実に閉塞できる。
【００１４】
請求項４記載の発明の高周波誘導加熱式炊飯釜の製造方法は、外側をステンレス鋼板とするとともに内側をアルミニウム板としたクラッド鋼鈑にて上面を開口した炊飯釜本体を形成する工程と、この炊飯釜本体の開口縁部をフランジ体成形型内に配設し、このフランジ体成形型内にアルミニウム溶融材を注入してこの炊飯釜本体の開口縁部を覆ったフランジ体をこの炊飯釜本体の開口縁部に取り付ける工程とを有するものである。
【００１５】
そして、クラッド鋼鈑にて形成した炊飯釜本体の開口縁部に容易にフランジ体を取り付けることができ、フランジ体のアルミニウム鋳物と炊飯釜本体のアルミニウム板とが溶融して一体化し、炊飯釜本体の開口縁部にフランジ体が強固に取り付けられる。
【００１６】
【発明の実施の形態】
次に、本発明の高周波誘導加熱式炊飯釜の一実施の形態を図１ないし図６に基いて説明する。
【００１７】
炊飯釜本体１は外側をステンレス鋼板２とするとともに内側をアルミニウム板３としたクラッド鋼鈑４にて略矩形形状の底面部５から上方に拡開状に形成され、この炊飯釜本体１は上面が開口されている。この炊飯釜本体１は底面部を中心にして展開された状態のクラッド鋼鈑４を溶接により形成し、図６に示すように、クラッド鋼鈑４の溶接端縁部のアルミニウム板３を削除してからステンレス鋼板２の端縁を互いに溶接し、次いで、クラッド鋼鈑４のアルミニウム板３の端縁にアルミニウム材３ａを肉盛りし、クラッド鋼鈑４のアルミニウム板３の端縁を互いに溶接する。
【００１８】
そして、図４及び図５に示すように、この炊飯釜本体１の弧状に湾曲した角隅部６を除いて上面開口縁部は延出され、この延出部７は外方に向って拡開状に折り曲げられている。
【００１９】
次に、この炊飯釜本体１の開口縁部には、この開口縁部を覆ってアルミニウム鋳物にて成形されたフランジ体１０が取り付けられている。
【００２０】
このフランジ体１０は、内側に段状に前記炊飯釜本体１の上面開口部を覆う蓋体１１の嵌合受部１２が形成され、このフランジ体１０の両側部には炊飯釜本体１より外側に突出する取っ手部１３がそれぞれ一体に形成され、このフランジ体１０の取っ手部１３の下面が図示しない移送手段にて支持されてこの炊飯釜本体１の底面部５が浮上して移動されるようになっている。
【００２１】
また、前記蓋体１１の下面周縁部には前記フランジ体１０の嵌合受部１２に嵌合される突縁１４が形成されている。
【００２２】
次に、この実施の形態の作用を説明する。
【００２３】
炊飯釜本体１は外面が強磁性のステンレス鋼板２で形成されているため、図示しない高周波誘導加熱手段の電磁コイル電磁誘導による渦電流が発生し易くなり、炊飯釜本体１は効率よく発熱され、また、内面がアルミニウム板３のため、炊飯釜本体１は熱伝導がよく、炊飯釜本体１内の被加熱物を効率よく加熱でき、強磁性体を溶射した構造に比し剥離することがなく、長期使用が可能となる。
【００２４】
また、炊飯釜本体１の開口縁部に取り付けられたフランジ体１０は、この炊飯釜本体１の開口縁部を覆って取り付けられたアルミニウム鋳物のため、炊飯釜本体１の内側のアルミニウム板３とアルミニウム鋳物のフランジ体１０とが溶着結合されて確実に取り付けられ、炊飯時に炊飯釜本体１に対するフランジ体１０の取り付け部から蒸気が漏れることがないとともにフランジ体１０を利用して炊飯釜本体１を持ち上げてもフランジ体１０が炊飯釜本体１の荷重で外れることがなく、炊飯釜本体の底面部５が高周波誘導加熱手段に接触されないように周波誘導加熱手段の誘導コイル上から浮上させて移送することができ、また、炊飯釜本体１内の炊き上がった米の取り出し、洗浄などに炊飯釜本体１を反転させるなどの際にも、フランジ体１０を利用して行うことができ、炊飯釜本体１に衝撃を与えることがなく、炊飯釜本体１の底面部５などを変形破損するおそれがない。
【００２５】
そして、炊飯釜本体１の開口縁部に取り付けられたフランジ体１０に上方に持ち上げる力が作用しても、炊飯釜本体１の荷重で炊飯釜本体１の開口縁部がフランジ体１０から抜け外れることがない。
【００２６】
そして、フランジ体１０の嵌合受部１２に蓋体１１の突縁１４を嵌合することにより、蓋体１１の周縁部はフランジ体１０の上面に接触され、炊飯釜本体１の上面開口部を閉塞できる。
【００２７】
次に、高周波誘導加熱式炊飯釜の製造方法の実施の形態を図７に基いて説明する。
【００２８】
第１の工程は、外側をステンレス鋼板２とするとともに内側をアルミニウム板３とした底面部を中央にして展開された状態のクラッド鋼鈑４を溶接により上面を開口した炊飯釜本体１を形成する。このクラッド鋼鈑４の溶接端縁は、図６に示すように、アルミニウム板３を削除して互いにステンレス鋼板２を溶接し、次いで、アルミニウム板３の端部にアルミニウム材３ａを肉盛りしてアルミニウム板３の端部を互いに溶接する。
【００２９】
この炊飯釜本体１を形成する工程に引き続き第２の工程は、この炊飯釜本体１の開口縁部をフランジ体成形型２０内に配設し、このフランジ体成形型２０内にアルミニウム溶融材を注入してこの炊飯釜本体１の開口縁部を覆ったフランジ体１０をこの炊飯釜本体１の開口縁部に取り付ける。
【００３０】
このフランジ体成形型２０は、図７に示すように下型部２１と左右に２つ割された上型部２２とを具備し、前記下型部２１は炊飯釜本体１を反転して嵌合する支持台部２３を有し、この支持台部２３に炊飯釜本体１を反転して嵌合し、図示しない支持手段にて炊飯釜本体１の高さが一定に位置決めされる。
【００３１】
次いで、前記左右に２つ割された上型部２２は前記下型部２１上にそれぞれ嵌着され、この下型部２１との間にフランジ体１０を鋳造する中空状の成形部２４を形成するようになっている。そして、この成形部２４に前記炊飯釜本体１の延出部７とともに開口縁部が配設されている。
【００３２】
また、２つ割の上型部２２にはそれぞれ前記中空状の成形部２４に連通するアルミニウム溶融材を注入する注入口２５が上面に開口されている。なお、この２つ割の上型部２２には、前記フランジ部１０の取っ手部１３を成形する部分２６は、上方に向って着脱可能となっている。
【００３３】
そして、２つ割の上型部２２の注入口２５からアルミニウム溶融材を注入して、中空状の成形部２４に注入されたアルミニウム溶融材を冷却すると、アルミニウム溶融材が硬化されて、フランジ体１０が鋳造され、まず、２つ割の上型部２２の取っ手部１３を成形する部分２６を取り外し、２つ割の上型部２２を左右に開き、炊飯釜本体１とともにこの炊飯釜本体１の開口縁部に一体的に取り付けられたフランジ体１０を取り出す。この状態で、炊飯釜本体１の内側のアルミニウム板３とアルミニウム鋳物のフランジ体１０とが溶着結合され、フランジ体１０は炊飯釜本体１に一体的に結合され、炊飯釜本体１の開口縁部を覆ったフランジ体１０がこの炊飯釜本体１の開口縁部に取り付けられている。
【００３４】
次に、この実施の形態の作用を説明する。
【００３５】
下型部２１の支持台部２３に炊飯釜本体１を反転して嵌合し、図示しない支持手段にて炊飯釜本体１の高さを一定に位置決めして支持し、次いで、前記左右に２つ割された上型部２２を前記下型部２１上にそれぞれ嵌着し、この下型部２１と２つ割された上型部２２との間に前記炊飯釜本体１の延出部７とともに開口縁部が配設されている中空状の成形部２４に２つ割の上型部２２の注入口２５から中空状の成形部２４にアルミニウム溶融材を注入し、この成形部２４に注入されたアルミニウム溶融材を冷却すると、アルミニウム溶融材が硬化されて、フランジ体１０が鋳造される。そして、２つ割の上型部２２の取っ手部１３を成形する部分２６を取り外し、２つ割の上型部２２を左右に開き、炊飯釜本体１とともにこの炊飯釜本体１の開口縁部に一体的に取り付けられたフランジ体１０を取り出す。
【００３６】
この状態で、炊飯釜本体１の内側のアルミニウム板と３アルミニウム鋳物のフランジ体１０とが溶着結合され、フランジ体１０は炊飯釜本体１に一体的に結合され、炊飯釜本体１の開口縁部を覆ったフランジ体１０がこの炊飯釜本体１の開口縁部に取り付けられているので、クラッド鋼鈑４にて形成した炊飯釜本体１の開口縁部に容易にフランジ体１０を取り付けることができ、アルミニウム鋳物のフランジ体１０と炊飯釜本体１のアルミニウム板３とが溶融して一体化し、炊飯釜本体１の開口縁部にフランジ体１０が強固に取り付けられる。
【００３７】
【発明の効果】
請求項１記載の発明によれば、炊飯釜本体は電磁誘導による渦電流が発生し易く、熱伝導がよく、被加熱物を効率よく加熱でき、強磁性体を溶射した構造に比し剥離することがなく、長期使用が可能となる。
【００３８】
また、炊飯釜本体の開口縁部に取り付けられたフランジ体は、炊飯釜本体の内側のアルミニウム板とアルミニウム鋳物のフランジ体とが溶着結合されて確実に取り付けられ、炊飯時にフランジ体の取り付け部から蒸気が漏れることがないとともにフランジ体を利用して炊飯釜本体を持ち上げてもフランジ体が炊飯釜本体の荷重で外れることがなく、炊飯釜本体の底面部が高周波誘導加熱手段に接触されないように周波誘導加熱手段上から浮上させて移送することができ、また、炊飯釜本体内の炊き上がった米の取り出し、洗浄などに際して炊飯釜本体を反転させるなどに際しても、フランジ体を利用して行うことができ、炊飯釜本体に衝撃を与えることがなく、炊飯釜本体の底部などを変形破損するおそれがない。
【００３９】
請求項２記載の発明によれば、炊飯釜本体の開口縁部に取り付けられたフランジ体に上方に持ち上げる力が作用しても、炊飯釜本体の荷重で炊飯釜本体の開口縁部がフランジ体から抜け外れることがない。
【００４０】
請求項３記載の発明によれば、フランジ体の嵌合受部に蓋体を嵌合することにより炊飯釜本体の上面開口部を閉塞できる。
【００４１】
請求項４記載の発明によれば、クラッド鋼鈑にて形成した炊飯釜本体の開口縁部に容易にフランジ体を取り付けることができ、フランジ体のアルミニウム鋳物と炊飯釜本体のアルミニウム板とが溶融して一体化し、炊飯釜本体の開口縁部にフランジ体が強固に取り付けられる。
【図面の簡単な説明】
【図１】本発明の一実施の形態を示す高周波誘導加熱式炊飯釜の縦断正面図である。
【図２】同上炊飯釜本体とフランジ部との結合部の拡大断面図である。
【図３】同上炊飯釜本体の平面図である。
【図４】同上炊飯釜本体の正面図である。
【図５】同上炊飯釜本体の平面図である。
【図６】同上炊飯釜本体のクラッド鋼鈑の溶接部の拡大断面図である。
【図７】同上フランジ部成形型の縦断正面図である。
【符号の説明】
１　　炊飯釜本体
２　　ステンレス鋼板
３　　アルミニウム板
４　　クラッド鋼鈑
５　　炊飯釜本体１の底面部
１０　　フランジ体
１１　　蓋体
１２　　嵌合受部
２０　　フランジ体成形型
【図１】
2004008247.tif 000003
【図２】
2004008247.tif 000004
【図３】
2004008247.tif 000005
【図４】
2004008247.tif 000006
【図５】
2004008247.tif 000007
【図６】
2004008247.tif 000008
【図７】
2004008247.tif 000009